(57)【要約】【課題】シート状物でパネルの表面を装飾する際に、張設されたシート状物の表面にしわがよりにくいシート張りパネルを提供する。【解決手段】パネル本体１の表面にシート状物２が被覆されたパネルであって、このシート状物２は、その端部がパネル本体１の周縁に沿って形成され裏面側に開口した溝部３の側壁とこの溝部３に嵌合される押さえ材４との間に挟着されて、張設されているため、シート状物２の余剰部が生じやすい角部においても、その余剰部を溝部３の側壁１１と押さえ材４によって強固に嵌着させることが可能であり、角部のシート状物２も十分に張設することができる。【選択図】        図２
2007138650.tif 000002
【特許請求の範囲】
【請求項１】
パネル本体の表面にシート状物が被覆されたパネルであって、このシート状物は、その端部がパネル本体の周縁に沿って形成され裏面側に開口した溝部の側壁とこの溝部に嵌合される押さえ材との間に挟着されて、張設されたことを特徴とするシート被覆パネル。
【請求項２】
パネル本体の表面に形成された凹部と前記シート状物との間には、吸音材が配置されると共に、パネル本体の裏面には金属板が取付けられていることを特徴とする請求項１に記載のシート張りパネル。
【発明の詳細な説明】
【技術分野】
【０００１】
本発明は、壁面等に取付られるパネルにおいて、表面がシート状物で被覆されたシート張りパネルに関するものである。
【背景技術】
【０００２】
一般に、壁面等に取付けられるパネルは、表面に塗装が施されたもの、織物、不織布等のシート状物で被覆されたもの、木目調模様が施された合成樹脂製シートで貼付されたもの等があり、又パネル素地そのままのものもある。
【０００３】
そして、シート状物でパネルを被覆する場合は、パネルとシート状物を接着剤で貼付する工法が多く用いられている。しかし、シート状物にしわがよらないように美麗に貼り付けるためには、接着剤をむらなく塗布する作業、及び貼り付け作業等に高度な熟練を必要としていた。又、シート状物の汚れや破損等により交換が必要となっても剥離させるのは容易でなく、剥離されても接着剤がパネルに部分的に残存することが多く、パネル表面の研磨等の表面処理が必要となる場合があった。
【０００４】
これらの問題を解決するために、方形のパネルの端縁を折り曲げ、その表面を覆った表装材の周辺部をこの折曲部で止めて表装材を張設する装置が提案されている。（例えば、特許文献１参照。）。
【０００５】
この張設装置は、四辺の裏面にコ字状の折曲部を有する方形パネルに対して、その表面に表装材を重ね合わせ、表装材の周辺部を折曲部に沿わせて折曲端縁から更に裏面に折り返し、その折り返し部を止め具で弾性的かつ着脱自在に止着するようにしたものである。
【特許文献１】実用新案平４−１１８３８号公報
【発明の開示】
【発明が解決しようとする課題】
【０００６】
しかしながら、上記の如き張設装置には次のような問題点があった。すなわち、接着剤を使用しなくても、パネル表面に表装材を張設することができ、表装材の張設作業も脱離作業も容易ではあるものの、折り返し部が側方あるいは下方に突出され、この折り返し部を覆うように止め具が取付けられるため、折り返し部の角部には止め具が取付けることができない箇所が生じる。すると、一般的に角部では表装材の余剰部が生じやすいため十分に張設できない場合が生じると共に、角部の表装材は接触等に外れやすくなり、しわがよりやすくなるという問題点があった。
【０００７】
本発明は、上記の如き問題点を解消し、パネルに張設されたシート状物表面にしわがよりにくく、シートを全面に亘って強固に張設できるシート張りパネルを提供せんとするものである。
【課題を解決するための手段】
【０００８】
上記目的を達成するために、本発明は次のような構成としている。
すなわちこの発明に係るシート張りパネルは、パネル本体の表面にシート状物が被覆されたパネルであって、このシート状物は、その端部がパネル本体の周縁に沿って形成され裏面側に開口した溝部の側壁とこの側壁に嵌合される押さえ材との間に挟着されて、張設されたことを特徴とするものである。
【発明の効果】
【０００９】
本発明によれば、パネル本体の周縁に沿って形成され裏面側に開口した溝部が形成されているため、シート状物の余剰部が生じやすい角部においても、その余剰部を溝部の側壁と押さえ材によって強固に嵌着させることが可能であり、角部のシート状物も十分に張設することができる。これによって、シート状物にしわがよりにくくなり、シート状物の表面を美麗に保持することができる。
【００１０】
又、発明において、パネル本体の表面に形成された凹部と前記シート状物との間には、吸音材が配置されると共に、パネル本体の裏面には金属板が取付けられるようになされれば、室内の壁面に本発明に係るシート張りパネルを取付けた場合、室内で発生した騒音を吸音材により吸収するのみでなく、吸音材を挟んでシート状物と金属板とによる二重壁構造を形成していることにより、騒音が二重壁間で反射・共鳴され、その間に位置する吸音材によって効率的に吸収されるため、本発明に係るパネルを壁面に設置することによって、比較的容易に防音効果を発現させることができる。
【発明を実施するための最良の形態】
【００１１】
次に、本発明を実施するための最良の形態について図面を参照し、具体的に説明する。
【００１２】
すなわち、図１は本発明に係るシート張りパネルの実施の一形態を示す斜視図、図２は図１の主要部の分解断面図、図３は図１の主要部の裏面分解斜視図である。
【００１３】
図面において、1はパネル本体、２はパネル本体に張設されるシート状物、３はパネル本体１の裏面に形成された溝部、４は溝部３に嵌合される押さえ材、５はパネル本体１を壁面Ｗに取付けるための係合金具であり、本形態に係るシート張りパネルＰは、パネル本体１、シート状物２、押さえ材４及び係合金具５から主に構成され、シート状物２は溝部３と押さえ材４とによって挟持されているものである。
【００１４】
まず、図２〜４に示されたパネル本体１は、本形態に係るパネルＰが壁面Ｗに取付ける際の基部になる正方形状の形態で、パネル本体１の裏面側には、周縁に沿って溝部３が形成され、溝部３の両側壁１１には、長さ方向に亘って相対する突条１２が形成されている。この突条１２によって、押さえ材４が溝部３に嵌着された時に押さえ材４が抜けにくくなる。又、溝部３からパネル本体１の中心側に向かって縦横方向に交差したリブ１３が形成されている。これによって、パネル本体１の剛性が高められ、シート状物２を強力に張設することができる。
【００１５】
そして、パネル本体１の表面には吸音材１４が配置される凹部１５が形成され、パネル本体１の表面がシート部材２で覆われることによって吸音材１４が保持される。吸音材１４は、一般的にはグラスウールや発泡材料が用いられる。又、吸音材１４はそのまま配置させてもよいし、袋体に入れシート状に成型されたものを用いてもよい。
【００１６】
更に、図３に示されるように、パネル本体１の裏面には、金属板１６が取付けられる取付孔１７が溝部３より中心側に形成されると共に、溝部３と取付孔１７との間には、面ファスナー１８ａが取付けられ、この面ファスナー１８ａに係合金具５が貼着される。
【００１７】
パネル本体１の材質は、シート部材２が張設されるための強度を保持していれば特に限定されるものではなく、本形態ではＡＢＳ樹脂を用いているが、ポリカーボネート樹脂、アクリル樹脂、ウレタン樹脂等の他の合成樹脂でもよい。
【００１８】
続いて、シート状物２は、パネル本体１の表面を覆って本形態に係るパネルＰの意匠性を高めたり、断熱性等を付与するものであって、その材質は特に制限されるものではないが、木綿、絹、麻等の天然繊維、ポリエステル、ポリエチレン、ポリプロピレン、アクリル樹脂、ナイロン樹脂等による合成繊維からなる織布や不織布、又は前記合成樹脂によるフィルム・シート等、シート状にしやすい材料が好ましい。
【００１９】
押さえ材４は、溝部３と嵌合し、その間にシート状物２の端部を挟持して、シート状物をパネル本体１に張設するものである。この押さえ材４は、一般的にはアルミニウムや合成樹脂を押出成型して得られる長尺の型材を適宜長さに切断したものであって、パネル本体１の溝部３に嵌合される断面コ字状であり、先端には外側に向け突起１９が形成され、その外幅は、溝部３に形成された相対向する突条１３の内幅よりも大きくなされている。
【００２０】
係合金具５は、本形態に係るパネルＰを壁面Ｗに取付けるための金具である。係合金具５は、一般的にはアルミニウムや合成樹脂を押出成型して得られる長尺の型材を適宜長さに切断したものであって、壁面Ｗ側には相対向する２個の係合片２０が形成され、壁面Ｗに取付けられた目地部材６に係合されると共に、パネル本体１側には、面ファスナー部１８ａが取付けられ、パネル本体１の裏面に取付られた面ファスナー１８ｂに貼着されるものである。
【００２１】
目地部材２１は、壁面Ｗに取付けられ、係合部材５と係合する係止溝２２が形成されたものである。目地部材２１は、一般的にはアルミニウムや合成樹脂を押出成型して得られる長尺の型材を適宜長さに切断したものであって、係止溝２２が上下に長さ方向に亘って配置され、２個の係止溝２２の間には、目地溝２３が形成され、目地溝２３には掛止棒２４が上下方向に配置されている。この掛止棒２４によって、装飾材等を掛止することができる。尚、係合部材５が目地部材２１に係止された際は、その係止を強固にするために、係合部材５の係止片２０の内部にコ字状のばね材２５が挿入され、係止片２０を係止溝２２の内壁を押圧するようになされてもよい。
【００２２】
次に、本実施の形態に係るパネル本体１へのシート状物２の張設手順について説明する。
【００２３】
まず、パネル本体１の表面側にシート状物２を配置し、シート状物２の周辺部をパネル本体１の突出部３の外周面に沿って裏面側に折り返し、溝部３を覆うようにする。続いて、押さえ材４をシート状物２の上から溝部３に嵌着させ、押さえ材４の先端の突起が溝部３の側壁１１の突条１２を超えて奥まで達するようにして、シート状物２を張設させる。この際、シート状物２の角部に生じる余剰部も、溝部３の側壁１１と押さえ材４とで挟着させる。これにより、シート状物２の張設が容易になされると共に、押さえ材４は溝部３からは抜けにくくなるため、シート状物２は溝部３と押さえ材４によって安定的に挟持される。尚、押さえ材４は、シート状物２の張設を十分確保できれば、４辺に形成された４個の溝部３に対してほぼ全長に亘って嵌着させてもよく、部分的に嵌着させるのみでもよい。
【００２４】
尚、シート状物２はパネル本体１の角部では張力が集中しやすいので、それを緩和するために、パネル本体１の角部に切欠部（図示せず）が形成されてもよいし、パネル本体１の外周縁部を断面円弧状に形成させてもよい。又、シート状物２の余剰部分は必要に応じて切断してもよい。
【００２５】
吸音材１４を取付ける際は、予めパネル本体１の凹部１５に吸音材１４を配置し、パネル本体１の表面をシート部材２で覆って吸音材１４を保持する。本形態では、パネル本体１に多数の孔部２６が形成されている。これによって、シート状物２を張設する際、吸音材１４に対して、パネル本体１及びシート状物２とから必要以上に押圧力がかかった場合でも、その過剰な押圧力は孔部２１から開放されるため、過剰な押圧力によるシート状物２の破損や、吸音材１４がシート状物２を貫通して外部に突き出る様な不具合は発生しにくくなる。
【００２６】
金属板１６を取付ける際は、シート状物２を張設する前でも後でもよい。金属板１６は、一般には亜鉛めっき鋼板やステンレス合金等が用いられる。
【産業上の利用可能性】
【００２７】
本発明によれば、織物、布帛、不織布等のシート状物を、接着剤を用いずにパネル表面に張設できるため、例えば既設建築物の屋内壁面や天井面の表面装飾や模様替えに好適に利用できる。
【図面の簡単な説明】
【００２８】
【図１】本発明に係るシート張りパネルの実施の一形態を示す斜視図である。
【図２】図１の主要部の分解断面図である。
【図３】図１の主要部の裏面分解斜視図である。
【符号の説明】
【００２９】
１    パネル本体
２    シート状物
３    溝部
４    押さえ部
５    係合金具
１１  側壁
１２  突条
１３  リブ
１４  吸音材
１５  凹部
１６  金属板
１７  取付孔
１８ａ、１８ｂ  面ファスナー
１９  突起
２０  係合片
２１  目地部材
２２  係止溝
２３  目地溝
２４  掛止棒
２５  ばね材
２６  孔部
Ｐ    シート張りパネル
Ｗ    壁面
【図１】
2007138650.tif 000003
【図２】
2007138650.tif 000004
【図３】
2007138650.tif 000005